(57)【要約】【課題】ＣＭＹデータをＣＭＹＫデータに変換する際に使用される変換係数を最適化する。【解決手段】変換係数を用いてＣＭＹデータをＣＭＹＫデータに変換する色変換処理部３を有する画像処理装置の構成として、変換係数を変化させる係数可変部１２と、データ供給部７から供給されたＣＭＹ評価基準データを、係数可変部１２で変化させた変換係数を適用して色変換処理部３がＣＭＹＫデータに変換したときに、該ＣＭＹＫデータをＬａｂデータに変換するデータ変換部８と、そのＬａｂデータを用いて、色再現性を評価するための評価データを生成する評価データ生成部９と、評価データを変換係数と対応付けたテーブルを格納するテーブル格納部１０と、色再現性の評価が最も高い評価データに対応する変換係数を第２の色変換処理部３での色変換用に設定する係数設定部１１とを備える。【選択図】図３
2005223666.tif 000002
【特許請求の範囲】
【請求項１】
色変換用に設定された変換係数を用いてＣＭＹデータをＣＭＹＫデータに変換する色変換手段を備える画像処理装置であって、
前記変換係数を変化させる係数可変手段と、
前記変換係数の違いによる色再現性を評価するために用意されたＣＭＹ評価基準データを前記色変換手段に供給する供給手段と、
前記供給手段によって供給された前記ＣＭＹ評価基準データを、前記係数可変手段によって変化させた前記変換係数を適用して前記色変換手段がＣＭＹＫデータに変換したときに、当該ＣＭＹＫデータを均等色空間上のカラーデータに変換するデータ変換手段と、
前記変換手段で変換された前記カラーデータを用いて、色再現性を評価するための評価データを生成する生成手段と、
前記生成手段によって生成された前記評価データを前記変換係数と対応付けて格納する格納手段と、
前記格納手段に格納された前記評価データのうち、色再現性の評価が最も高い評価データに対応する前記変換係数を前記色変換手段での色変換用に設定する設定手段と
を備えることを特徴とする画像処理装置。
【請求項２】
前記変換係数は、墨生成処理、ＵＣＲ処理、ＵＣＡ処理及び彩度補正処理のうち、少なくとも１つの処理に適用されるパラメータを含む
ことを特徴とする請求項１記載の画像処理装置。
【請求項３】
前記生成手段は、前記評価データとして、前記均等色空間上で前記カラーデータが取り得る色域と階調性を示す評価データを生成し、
前記設定手段は、前記色域と前記階調性の総合評価が最も高い評価データに対応する前記変換係数を前記色変換手段での色変換用に設定する
ことを特徴とする請求項１記載の画像処理装置。
【請求項４】
前記カラーデータはＬａｂデータである
ことを特徴とする請求項１記載の画像処理装置。
【発明の詳細な説明】
【技術分野】
【０００１】
本発明は、色変換用に設定された変換係数を用いてＣＭＹデータをＣＭＹＫデータに変換する色変換手段を備える画像処理装置に関する。
【背景技術】
【０００２】
電子写真プロセスを用いて画像を形成するカラープリンタやカラー複写機などの画像形成装置では、減法混色の三原色となるＣ（シアン）、Ｍ（マゼンタ）、Ｙ（イエロー）にＫ（ブラック）を加えた４色の色材（トナー）を用いて印刷することにより、色材の総使用量を低減するとともに、ブラックの発色を鮮明にして色再現性を向上させている。また、画像を形成する際に必要となるＣＭＹＫデータを生成するにあたっては、スキャナ等からの入力画像データとなるＲ（赤）Ｇ（緑）Ｂ（青）データをＣＭＹデータに変換する第１の色変換処理と、当該第１の色変換処理によって生成されたＣＭＹデータをＣＭＹＫデータに変換する第２の色変換処理とを所定のアルゴリズムで順に行うことにより、印刷用のＣＭＹＫデータを生成するものが知られている。
【０００３】
一例として、下記特許文献１には、入力されたＲＧＢデータをＣＭＹデータに変換し、さらにこのＣＭＹデータをＣＭＹＫデータに変換する場合に、ＣＭＹデータの最小値を抽出し、この最小値を非線形変換して墨生成することにより、画像のざらつきを抑える技術が開示されている。また、下記特許文献２には、入力されたＲＧＢデータと、このＲＧＢデータにしたがって生成されたＫデータとを用いて、ＵＣＲ(Under Color Removal)処理を行わずに、非線形変換による変換によってＣＭＹデータを生成し、このＣＭＹデータと上記Ｋデータとを用いた階調補正によって最終的な印刷用のＣＭＹＫデータを生成する技術が開示されている。
【０００４】
【特許文献１】特開２０００−１３６１８号公報
【特許文献２】特開平１１−２７５３７４号公報
【発明の開示】
【発明が解決しようとする課題】
【０００５】
従来においては、ＣＭＹデータをＣＭＹＫデータに変換するにあたって、予め墨生成処理やＵＣＲ処理のために設定（用意）された各種のパラメータを色変換用の変換係数として利用している。したがって、この変換係数に含まれる各種のパラメータのいずれかを変化させると、その影響でＣＭＹＫデータの変換結果、特に色域の範囲が異なるものとなる。そのため、例えば画像のざらつきを低減するために墨生成用のパラメータを個別に調整したりすると、プリンタなどで表現できる色域(Gamut)に対して、実際に印刷データとして使用される色域の範囲が狭くなり、色再現性の低下を招く恐れがある。
【０００６】
本発明は、上記課題を解決するためになされたもので、その目的とするところは、ＣＭＹデータをＣＭＹＫデータに変換する際に使用される変換係数を最適化することができる画像処理装置を提供することにある。
【課題を解決するための手段】
【０００７】
本発明に係る画像処理装置は、色変換用に設定された変換係数を用いてＣＭＹデータをＣＭＹＫデータに変換する色変換手段を備える画像処理装置であって、変換係数を変化させる係数可変手段と、変換係数の違いによる色再現性を評価するために用意されたＣＭＹ評価基準データを色変換手段に供給する供給手段と、この供給手段によって供給されたＣＭＹ評価基準データを、係数可変手段によって変化させた変換係数を適用して色変換手段がＣＭＹＫデータに変換したときに、当該ＣＭＹＫデータを均等色空間上のカラーデータに変換するデータ変換手段と、この変換手段で変換されたカラーデータを用いて、色再現性を評価するための評価データを生成する生成手段と、この生成手段によって生成された評価データを変換係数と対応付けて格納する格納手段と、この格納手段に格納された評価データのうち、色再現性の評価が最も高い評価データに対応する変換係数を色変換手段での色変換用に設定する設定手段とを備えるものである。
【０００８】
本発明に係る画像処理装置においては、色変換手段での色変換に使用される変換係数を設定するにあたり、供給手段から供給されたＣＭＹ評価基準データが、係数可変手段で変化させた変換係数を用いて色変換手段によりＣＭＹＫデータに変換されるとともに、このＣＭＹＫデータがデータ変換手段によって均等色空間上のカラーデータに変換され、かつ当該カラーデータを用いて色再現性評価のための評価データが生成手段で生成される。したがって、色変換手段での色変換に適用される変換係数を係数可変手段で順に変化させることにより、複数の異なる変換係数とこれに対応する評価データが得られる。したがって、それらの変換係数と評価データとを対応付けて格納手段に格納し、その中から色再現性の評価が最も高い評価データに対応する変換係数を色変換手段での色変換用に設定することにより、色変換手段でＣＭＹデータをＣＭＹＫデータに変換する際に、より適切な変換係数を使用して色変換を行うことが可能となる。
【発明の効果】
【０００９】
本発明の画像処理装置によれば、異なる変換係数を用いてＣＭＹ評価基準データをＣＭＹＫデータに変換したときに生成される評価データを、この評価データを生成するにあたって色変換に使用した変換係数と対応付けて格納し、その中から色再現性の評価が最も高い変換係数を色変換用に設定することにより、変換係数の最適化を図ることができる。
【発明を実施するための最良の形態】
【００１０】
以下、本発明の具体的な実施の形態について図面を参照しつつ詳細に説明する。
【００１１】
図１は本発明が適用される画像処理装置の構成例を示すブロック図である。図において、画像入力部１は、入力画像データとなるＲＧＢデータを入力するものである。第１の色変換処理部２は、画像入力部１によって入力されたＲＧＢデータを、例えばＤＬＵＴ（ダイレクトルックアップテーブル）やマトリクス演算によってＣＭＹデータに変換するものである。
【００１２】
第２の色変換処理部３は、第１の色変換処理部２から与えられるＣＭＹデータを、予め色変換用に設定された変換係数を用いてＣＭＹＫデータに変換するもので、本発明における色変換手段に相当するものである。係数格納部４は、第２の色変換処理部３で色変換を行う際に用いられる変換係数を格納するものである。
【００１３】
階調補正部５は、第２の色変換処理部３から与えられるＣＭＹＫデータに階調補正を施すことにより印刷用の画像データ（ＣＭＹＫデータ）を生成するものである。画像出力部６は、階調補正部５から与えられる印刷用の画像データにしたがって画像の印刷出力を行うものである。
【００１４】
図２は第２の色変換処理部３の内部構成の一例を示すブロック図である。図において、彩度補正処理部３１は、画像入力部１から入力されるＣＭＹデータを用いて、このＣＹＭデータの最小値Ｋ’を抽出して墨生成処理部３２に与えるとともに、ＣＭＹデータの各データ値のバランスから彩度に関する情報Ｃｈを取得して墨生成処理部３２に与えるものである。さらに、彩度補正処理部３１は、ＣＭＹデータの彩度を補正した補正データＣ’Ｍ’Ｙ’を生成し、この補正データＣ’Ｍ’Ｙ’をＵＣＲ処理部３３に与えるものである。
【００１５】
墨生成処理部３２は、彩度補正処理部３１から与えられる上記最小値Ｋ’と上記彩度情報Ｃｈとに基づいて墨量を決定し、この墨量に応じたブラックの色データＫ”を生成するものである。ＵＣＲ処理部３３は、彩度補正処理部３１から与えられる補正データＣ’Ｍ’Ｙ’から墨生成分に相当する下色成分を除去するものである。ＵＣＡ(Under Color Addition)処理部３４は、墨生成処理部３２から与えられるブラックの色データＫ”にしたがってＣＭＹの色データの増幅率rateを決定するとともに、ＵＣＲ処理部３３から生成される補正データに上記増幅率rateを掛け合わせることにより、３色の色データＣ”Ｍ”Ｙ”を生成させるものである。こうして生成される３色の色データＣ”Ｍ”Ｙ”と墨生成処理部３２から生成されるブラックの色データＫ”は、上記図１において第２の色変換処理部３から階調補正部５に与えられるＣＭＹＫデータに相当するものとなる。
【００１６】
上記構成からなる第２の色変換処理部３においては、彩度補正処理部３１、墨生成処理部３２、ＵＣＲ処理部３３、ＵＣＡ処理部３４の各部で、それぞれの処理に適合したパラメータが用いられる。すなわち、彩度補正処理部３１では、彩度補正のために用意されたパラメータが適用され、墨生成処理部３２では、墨生成のために用意されたパラメータが適用される。また、ＵＣＲ処理部３３では、ＵＣＲのために用意されたパラメータが適用され、ＵＣＡ処理部３４では、ＵＣＡのために用意されたパラメータが適用される。これらのパラメータは、第２の色変換処理部３で色変換を行うための変換係数として予め係数格納部４に格納されている。
【００１７】
図３は本発明の実施形態に係る画像処理装置において第２の色変換処理部３での色変換（ＣＭＹ→ＣＭＹＫ）に用いられる変換係数を設定（最適化）するための処理機能部を示すブロック図である。図において、データ供給部７は、第２の色変換処理部３で適用される変換係数（パラメータ）を色再現性の観点から相対的に評価するために予め用意されたＣＭＹ評価基準データを第２の色変換処理部３に供給するものである。
【００１８】
データ変換部８は、データ供給部７から供給されたＣＭＹ評価基準データを第２の色変換処理部３でＣＭＹＫデータに変換したときに、このＣＭＹＫデータを例えば予め変換用に用意されたルックアップテーブルにしたがってＬａｂデータに変換するものである。Ｌａｂデータは、明度を表すＬ*の値と、色相及び彩度を表すａ*とｂ*の値（座標値）によって表されるカラーデータである。このＬａｂデータは、プリンタなどのデバイスに依存しない色空間（Device Independent Color Space）である均等色空間、好ましくはＣＩＥＬＡＢ表色系の色空間上の位置（点）を表すカラーデータである。
【００１９】
評価データ生成部９は、データ変換部８から与えられるＬａｂデータを用いて、色再現性を評価するための評価データを生成するものである。テーブル格納部１０は、変換係数と評価データとを対応付けたテーブルを格納するものである。このテーブル上においては、第２の色変換処理部３でＣＭＹ評価基準データをＣＭＹＫデータに変換する際に適用された変換係数と、この変換係数を適用して第２の色変換処理部３から生成されたＣＭＹＫデータをデータ変換部８でＬａｂデータに変換しかつこのＬａｂデータを用いて評価データ生成部９が生成した評価データとが対応付けて登録される。
【００２０】
係数設定部１１は、テーブル格納部１０に格納されたテーブルを参照することにより、当該テーブルに登録された評価データのなかで、色再現性の評価が最も高い評価データを抽出し、この評価データに対応する変換係数をテーブル格納部１０から取り出して係数格納部４に設定（格納）するものである。この係数設定部１１によって係数格納部４に設定された変換係数は、上記画像入力部１から入力されたＲＧＢデータに基づく画像を画像出力部６で印刷出力する通常の印刷モードにおいて、第１の色変換処理部２から与えられるＣＭＹデータを第２の色変換処理部３でＣＭＹＫデータに変換する際に適用されるものとなる。
【００２１】
係数可変部１２は、第２の色変換処理部３が係数格納部４に格納された変換係数を用いて色変換を行う際に、この色変換に用いられる変換係数を予め設定された変更条件にしたがって順に変化させるものである。さらに詳述すると、係数格納部４には、第２の色変換処理部３での色変換に使用される変換係数が格納されている。この変換係数には、上述した４種類のパラメータ（彩度補正用のパラメータ、墨生成用のパラメータ、ＵＣＲ用のパラメータ、ＵＣＡ用のパラメータ）のうち、少なくとも１つのパラメータが含まれる。一例として、本実施形態においては、上記４種類のパラメータを１つのデータセットとした変換係数が係数格納部４に格納されるものとする。そうした場合、係数可変部１２は、係数格納部４に格納された変換係数を変化させるにあたって、上記４種類のパラメータの初期値を予め設定しておき、この初期値を基準に、それぞれのパラメータの値を順に微小変化（増減）させる。
【００２２】
例えば、彩度補正用のパラメータの初期値をＰ１、墨生成用のパラメータの初期値をＰ２、ＵＣＲ用のパラメータの初期値をＰ３、ＵＣＡ用のパラメータの初期値をＰ４とすると、これらのパラメータの初期値Ｐ１，Ｐ２，Ｐ３，Ｐ４を基準に、最初は彩度補正用のパラメータのみをＰ１±ΔＰ１で微小変化させ、次に、墨生成用のパラメータのみをＰ２±ΔＰ２で微小変化させ、次いで、ＵＣＲ用のパラメータのみをＰ３±ΔＰ３で微小変化させ、次いで、ＵＣＡ用のパラメータのみをＰ４±ΔＰ４で微小変化させる。この場合、係数可変部１２で可変される変換係数の個数（パラメータのデータセット数）は、初期値を含めて合計９個となる。また、それぞれのパラメータを微小変化させた場合の変換係数の複合的な組み合わせ（例えば、彩度補正用のパラメータがＰ１＋ΔＰ１、墨生成用のパラメータがＰ２＋ΔＰ２、ＵＣＲ用のパラメータがＰ３、ＵＣＡ用のパラメータがＰ４のデータセットなど）を全て含めると、変換係数の個数は合計８１個となる。
【００２３】
続いて、本発明の実施形態に係る画像処理装置で実際に色変換用の変換係数を設定する場合の処理手順（画像処理方法）について図４のフローチャートに基づいて説明する。
【００２４】
まず、変換係数の設定モードに入ると、係数格納部４に格納された変換係数の初期値が係数可変部１２によって指定され、これにしたがって第２の色変換処理部３での色変換用の変換係数が初期値に設定される（ステップＳ１）。次に、変換係数の評価用に用意されたＣＭＹ評価基準データがデータ供給部７から第２の色変換処理部３に供給されるとともに、このＣＭＹ評価基準データが第２の色変換処理部３で変換係数を用いてＣＭＹＫデータに変換される（ステップＳ２）。
【００２５】
図５はＣＭＹ評価基準データの具体例を示す図である。まず、図５（Ａ）に示すＣＭＹ評価基準データは、Ｃデータの値と、Ｍデータの値と、Ｙデータの値を、それぞれ０〜２５５の範囲内で個別に１６ずつ変化させてＣＭＹデータを生成したものとなっている。この場合、ＣＭＹデータの組み合わせ個数は、１色分のデータ毎に１７個の値を取り得ることから、３色分で合計４９１３個となる。これに対して、図５（Ｂ）に示すＣＭＹ評価基準データは、Ｃデータの値と、Ｍデータの値と、Ｙデータの値を、それぞれ０〜２５５の範囲内で、少なくともいずれか１色のデータ値を最大値（２５５）に固定しつつ他の色のデータ値を１ずつ変化させてＣＭＹデータを生成したものとなっている。具体的には、Ｃデータの値を最大値（２５５）に固定しつつＭデータの値とＹデータの値をそれぞれ０〜２５５まで１ずつ変化させた場合と、Ｃデータの値とＭデータの値をそれぞれ最大値（２５５）に固定しつつＹデータの０から順に１ずつ変化させた場合を例示している。
【００２６】
ここで、図５（Ａ）に示すＣＭＹ評価基準データを採用した場合は、色再現範囲を示す色域の外郭部分とこれに囲まれる内側部分に均等にＣＭＹデータが配分されたものとなる。また、図５（Ｂ）に示すＣＭＹ評価基準データを採用した場合は、色再現範囲を示す色域の外郭部分に沿って均等にＣＭＹデータが配分されたものとなる。このうち、図５（Ａ）に示すＣＭＹ評価基準データは、色域全体にＣＭＹデータが広く分布するかたとなるため、色域全体で色域と階調性を大まかに評価するのに適したものとなり、図５（Ｂ）に示すＣＭＹ評価基準データは、色域の外郭部分にＣＭＹデータが細かく分布するかたちとなるため、色域の外郭部分で色域と階調性を緻密に評価するのに適したものとなる。
【００２７】
次いで、第２の色変換処理部３からデータ変換部８にＣＭＹＫデータが送られるとともに、このＣＭＹＫデータがデータ変換部８によってＬａｂデータに変換される（ステップＳ３）。
【００２８】
次いで、データ変換部８から評価データ生成部９にＬａｂデータが送られるとともに、このＬａｂデータに基づく評価データが評価データ生成部９によって生成される（ステップＳ４）。
【００２９】
ここで、評価データ生成部９に適用される評価データの生成手法について説明する。まず、画像処理装置で画像を印刷するときに表現可能な色域(Gamut)は、ＣＭＹの各色のデータ値をそれぞれ０〜２５５の範囲内で１ずつ変化させたときにＣＩＥＬＡＢ表色系の色空間（均等色空間）上で定義される最大の色再現域（以下、最大色再現域）として表される。この最大色再現域は、図６に示すように、ＬＡＢ空間上に立体的に表すことができる。この最大色再現域を有効に使用し得るかどうかは、実際に第２の色変換処理部３でＣＭＹ評価基準データをＣＭＹＫデータに変換したときの色再現域（実色再現域）が最大色再現域に対してどの程度の割合（％）を有するかによる。理想的には実色再現域が最大色再現域と同等の色再現域を有することが望ましいものの、最大色再現域に対する実色再現域の割合（％）は第２の色変換処理部３の色変換に使用される変換係数によって変わるため、色変換用の変換係数を最適化することが重要となる。
【００３０】
そこで本実施形態においては、最大色再現域に対する実色再現域の割合を色域(Gamut)の使用率とし、この色域使用率（％）を色再現性評価のための評価データの１つとして評価データ生成部９で求めることとした。すなわち、上記図５（Ａ），（Ｂ）に示すＣＭＹ評価基準データを用いて色変換（ＣＭＹ→ＣＭＹＫ→Ｌａｂ）を行った場合は、実色再現域の外郭部分を示すＬａｂデータが得られるため、このＬａｂデータを用いて、ＬＡＢ空間上で彩度（明度を表すＬ*軸からの距離）を表すＣ*を“Ｃ*＝√（ａ*2＋ｂ*2）”の計算式によって求める。これにより、図７に示すように、Ｌ*とＣ*の相関データが得られる。この相関データはＬＡＢ空間をＬ*軸に沿って断面したときの色再現域を示すものとなる。
【００３１】
そうした場合、上記図７において、例えば、最大色再現域が図中の実線で囲まれる領域であって、実色再現域が図中の破線で囲まれる領域であるとすると、それぞれの領域の大きさ（面積）から色域使用率を求めることができる。具体的には、色域使用率をＲ（％）、最大色再現域の大きさをＳ１、実色再現域の大きさをＳ２とすると、Ｒ（％）＝Ｓ２／Ｓ１×１００の計算式によって色域使用率を求めることができる。ただし、実際は色相ごとに色域使用率が求まるため、最終的には色相ごとの色域使用率を平均した値を代表値として求めるようにする。この色域使用率の代表値（平均値）は、ＬＡＢ空間上で立体的に表される最大色再現域と実色再現域の体積比率に近似した値となる。
【００３２】
次いで、評価データ生成部９からテーブル格納部１０に評価データが送られるとともに、この評価データが、当該評価データの生成に用いられた変換係数と対応付けてテーブル格納部１０のテーブルに格納（登録）される（ステップＳ５）。
【００３３】
次いで、全ての変換係数のついての処理を終了したか否かを判断する（ステップＳ６）。例えば、係数可変部１２によって変更される変換係数の個数がＮ個となっていた場合は、このＮ個分の変換係数に対応するＮ個の評価データがテーブル格納部１０に格納された段階で処理が終了したと判断し、それまでは処理が終了していないと判断する。
【００３４】
ステップＳ６でＮｏ（処理が未終了）と判断した場合は、第２の色変換処理部３での色変換に使用される変換係数を係数可変部１２で変化させた後（ステップＳ７）、上記ステップＳ２〜Ｓ５の処理を行って当該変換係数に対応する評価データをデータ格納部１０のテーブルに格納する。
【００３５】
その後、ステップＳ６でＹｅｓ（処理が終了）と判断した場合は、それまでにテーブル格納部１０に格納されたテーブルデータを係数設定部１１で参照し、そのテーブルデータに基づいて、色再現性の評価が最も高い評価データに対応する変換係数を抽出し、この変換係数を第２の色変換処理部３での色変換用に設定すべく、当該変換係数を係数格納部４に格納する（ステップＳ８）。この場合、上述のように求めた色域使用率が最も高い評価データが、色再現性の評価が最も高い評価データとして抽出される。また、変換係数の格納は、変換係数に含まれる各種のパラメータの値を書き換える（更新する）ことにより行われる。また、図４のフローで求めた変換係数を初期値として、再び図４のフローによって変換係数と評価データの対応を求める処理を行い、変換係数の抽出と変換係数の格納を繰り返す。
【００３６】
このような設定処理を行うことにより、第２の色変換処理部３で色変換（ＣＭＹ→ＣＭＹＫ）を行う際に使用される変換係数を最適化することができる。その結果、画像出力部６においては、画像処理装置で表現可能な色域(gamut)を有効に利用して画像を印刷出力することができる。そのため、画像処理装置で画像を印刷する際の色再現性を向上させることができる。
【００３７】
また、色再現性の評価については、色域（色域使用率）だけの評価に限らず、階調性についての評価を加えることが望ましい。階調性の優劣については、ＣＭＹ評価基準データをＣＭＹＫデータ→Ｌａｂデータと変換したときに、元のＣＭＹ評価基準データの階調性がＬａｂデータにどの程度正確に反映されているかによって評価する。例えば、図８（Ａ）に示すように、ＣＭＹ空間で均等なデータの並びとなるようにＣデータの値だけを均等に変化させたＣＭＹ評価基準データを採用した場合に、このＣＭＹ評価基準データをＣＭＹＫデータ→Ｌａｂデータと変換して得られるデータが、図８（Ｂ），（Ｃ）に示すようにＬａｂ空間上でも均等な色差をもつデータ列の並びとなっていれば階調性が良好に保たれているものと判断し、図８（Ｄ），（Ｅ）に示すように色差が不均一なデータ列となっていれば階調性が劣化しているものと判断する。定量的には、ＬＡＢ空間上で隣り合うデータ間の色差のバラツキ具合を標準偏差として求め、この標準偏差が小さいほど階調性が良好であると判断する。
【００３８】
図９は、データ変換の一例として、Ｃデータの値を２５５で固定しつつＭデータとＹデータの値をそれぞれ０〜２５５の範囲で１ずつ変化させた合計２５６個のデータセットをＣＭＹ評価基準データとし、このＣＭＹ評価基準データを変換係数の初期値を用いてＣＭＹＫデータの変換したときの値と、このＣＭＹＫデータをデータ変換部８でＬａｂデータに変換したときの値を示すものである。
【００３９】
また、色域使用率と階調性の両方を色再現性の評価項目とする場合は、それらを総合的に評価することになる。総合評価の方法は種々考えられる。本実施形態においては、一例として、ポイント制による総合評価の方法を採用している。例えば、図１０に示すように、変換係数のデータセットがNo.１から順に用意され、No.１が変換係数の初期値である場合は、それぞれ異なる変換係数を適用して求められた色域使用率と階調性評価値（標準偏差値）を用いて、変換係数ごとに総合評価ポイントを求める。
【００４０】
総合評価ポイントは、色域使用率や階調性評価値と同様に、評価データの１つとして評価データ生成部９で生成されるものである。図例では、変換係数のデータセットに１番から順に番号（No.）を付し、この番号に合わせて、No.１の変換係数（初期値）に対応する色域使用率と階調性評価値をそれぞれＲ１，Ｅ１とし、No.２の変換係数に対応する色域使用率と階調性評価値をそれぞれＲ２，Ｅ２とし、No.３の変換係数に対応する色域使用率と階調性評価値をそれぞれＲ３，Ｅ３とし、No.４の変換係数に対応する色域使用率と階調性評価値をそれぞれＲ４，Ｅ４としている（No.５以降については説明を省略）。そして、変換係数に初期値（No.１の変換係数）を適用した場合に得られる色域使用率と階調性評価値の総合評価ポイント(Point)を１００とし、これを基準にNo.２以降の変換係数を適用した場合の総合評価ポイントを算出している。具体的には、総合評価ポイントをPoint＝５０×（Ｒｎ／Ｒ１＋Ｅ１／Ｅｎ）の計算式（ｎは正の整数で、変換係数の番号に相当）によって算出している。この場合、色域使用率の評価と階調性の評価に重み付けを行って、双方の優位度に違いをもたせてもよい。
【００４１】
このように色域使用率と階調性の両面から色再現性を評価するにあたり、それらを総合的に評価した総合評価ポイントを定量的に求めることにより、係数設定部１１では、その中から最も総合評価（ポイント）が高い変換係数（図１０のNo.１〜No.４の範囲では、No.３の変換係数）を抽出し、この変換係数を第２の色変換処理部３での色変換用に設定することになる。したがって、単に色域使用率が高いだけでなく、階調性も含めて色再現性を評価し、これに適した変換係数を使用して第２の色変換処理部３に色変換を実行させることができる。その結果、色再現性の更なる向上を図ることができる。
【図面の簡単な説明】
【００４２】
【図１】本発明が適用される画像処理装置の構成例を示すブロック図である。
【図２】第２の色変換処理部の内部構成の一例を示すブロック図である。
【図３】本発明の実施形態に係る画像処理装置において第２の色変換処理部での色変換に使用する変換係数を設定（最適化）するための処理機能部を示すブロック図である。
【図４】本発明の実施形態に係る画像処理装置で色変換用の変換係数を設定する場合の処理手順を示すフローチャートである。
【図５】ＣＭＹ評価基準データの一例を示す図である。
【図６】ＣＩＥＬＡＢ表色系の色空間上の色域を説明する図である。
【図７】色域の評価例を説明する概念図である。
【図８】階調性の評価例を説明する概念図である。
【図９】データ変換の一例を示す図である。
【図１０】色再現性の総合評価の一例を示す図である。
【符号の説明】
【００４３】
３…第２の色変換処理部、４…係数格納部、７…データ供給部、８…データ変換部、９…評価データ生成部、１０…テーブル格納部、１１…係数設定部、１２…係数可変部、３１…彩度補正処理部、３２…墨生成処理部、３３…ＵＣＲ処理部、３４…ＵＣＡ処理部
【図１】
2005223666.tif 000003
【図２】
2005223666.tif 000004
【図３】
2005223666.tif 000005
【図４】
2005223666.tif 000006
【図５】
2005223666.tif 000007
【図６】
2005223666.tif 000008
【図７】
2005223666.tif 000009
【図８】
2005223666.tif 000010
【図９】
2005223666.tif 000011
【図１０】
2005223666.tif 000012